(57)【特許請求の範囲】
【請求項１】
電磁アクチュエーターの内周に形成された装着孔に、弁本体を脱着自在に装着するように構成された流体制御弁であって、
前記電磁アクチュエーターの下方に突設するように形成されたブラケットと、
前記ブラケットを保護するように、電磁アクチュエーターの下方に突設するように形成されたブラケット保護部材と、
前記弁本体に形成され、ブラケットと係合する係合部とを備え、
前記ブラケットが、
前記電磁アクチュエーターに固定される固定部と、
前記固定部から延設された弾性を有する弾性係止部とを備え
前記弾性係止部には、弁本体に形成された係合部と係合するブラケット係止部が形成されていることを特徴とする流体制御弁。
【請求項２】
前記弾性係止部が、電磁アクチュエーターの下方に延設されたブラケット本体部と、
前記ブラケット本体部から、弁本体と面するように屈曲された弾性を有する屈曲係止部とを備え、
前記屈曲係止部に前記ブラケット係止部が形成されていることを特徴とする請求項１に記載の流体制御弁。
【請求項３】
前記ブラケット保護部材の下端が、ブラケットの下端より下方に突設するように形成されていることを特徴とする請求項１から２のいずれかに記載の流体制御弁。
【請求項４】
前記ブラケットが、ブラケット保護部材によってブラケットの軸方向、径方向、または、幅方向のうち少なくとも一つの方向が、支持されるように構成されていることを特徴とする請求項１から３のいずれかに記載の流体制御弁。
【請求項５】
前記ブラケットの屈曲係止部が、外径方向に移動する際に、ストッパーとして機能するブラケット保護部材で支持されるように構成されていることを特徴とする請求項１から４のいずれかに記載の流体制御弁。
【請求項６】
前記ブラケット保護部材が、ブラケットの両側部を保護するように、ブラケットの両側部の外側にそれぞれ位置する２つのブラケット側部保護部を備えることを特徴とする請求項１から５のいずれかに記載の流体制御弁。
【請求項７】
前記２つのブラケット側部保護部が、ブラケットの軸方向、径方向、または、幅方向のうち少なくとも一つの方向に、ブラケットを支持する連結部で連結されていることを特徴とする請求項６に記載の流体制御弁。
【請求項８】
前記連結部の下端に形成された下端溝部によって、ブラケットが支持されるように構成されていることを特徴とする請求項７に記載の流体制御弁。
【請求項９】
前記連結部の軸方向に形成された軸方向溝部によって、ブラケットが支持されるように構成されていることを特徴とする請求項７から８のいずれかに記載の流体制御弁。
【請求項１０】
前記２つのブラケット側部保護部の基端部にそれぞれ、ブラケットの軸方向、径方向、または、幅方向のうち少なくとも一つの方向にブラケットを支持するブラケット支持部が形成されていることを特徴とする請求項６に記載の流体制御弁。
【請求項１１】
前記基端部に形成されたブラケット支持部の下端に形成された下端溝部によって、ブラケットが支持されるように構成されていることを特徴とする請求項１０に記載の流体制御弁。
【請求項１２】
前記基端部に形成されたブラケット支持部の軸方向に形成された軸方向溝部によって、ブラケットが支持されるように構成されていることを特徴とする請求項１０から１１のいずれかに記載の流体制御弁。
【請求項１３】
前記ブラケットが、電磁アクチュエーターのケース本体から下方に延設されていることを特徴とする請求項１から１２のいずれかに記載の流体制御弁。
【請求項１４】
前記ブラケット保護部材が、電磁アクチュエーターのボビンから下方に延設されていることを特徴とする請求項１から１３のいずれかに記載の流体制御弁。
【発明の詳細な説明】
【技術分野】
【０００１】
本発明は、例えば、電動弁、電磁弁などの流体制御弁（以下、単に「流体制御弁」と言う）に関する。
【０００２】
より詳細には、通電により弁体を弁座に対して離接させる電磁コイルを備えた電磁アクチュエーターの内周に形成された装着孔に、弁本体を脱着自在に装着するように構成された流体制御弁に関する。
【背景技術】
【０００３】
従来、このように電磁アクチュエーターの内周に形成された装着孔に、弁本体を脱着自在に装着するように構成された流体制御弁として、特許文献１（特開２０１４−５２０３７号公報）に開示されるような流体制御弁が提案されている。
【０００４】
図１１は、特許文献１に開示される流体制御弁１００の概略を模式的に示す正面図、図１２は、図１１の流体制御弁１００のＡ方向の部分拡大矢視図である。
【０００５】
なお、本明細書中、「上側」、「上部」、「上方」、「下側」、「下部」、「下方」などの上下方向を示す用語は、流体制御弁の正面図に基づいて、上下方向を示すものであり、各部材の相対的な位置関係を示すものであって、絶対的な位置関係を示すものではない。
【０００６】
図１１、図１２に示したように、特許文献１の流体制御弁１００は、略リング形状の電磁アクチュエーター１０２と、略円筒形状の弁本体１０４とを備えている。電磁アクチュエーター１０２の内周に形成された装着孔１０６に、弁本体１０４を脱着自在に装着するように構成されている。
【０００７】
そして、弁本体１０４は、弁体部１０８と、駆動部１１０とを備えている。この弁体部１０８には、図示しないが、その内部に、弁座に対して離接して弁ポートを開閉する弁体を備えており、この弁ポートの開閉により、第１の流体通路１１２と第２の流体通路１１４とを連通・遮断するように構成されている。
【０００８】
また、駆動部１１０の駆動ケース本体１１６の内部には、図示しないが、例えば、電磁弁の場合には、弁体に連結されたプランジャー、吸引子などが備えられている。また、例えば、電動弁の場合には、弁体に連結された永久磁石からなるローターマグネットが備えられている。
【０００９】
一方、電磁アクチュエーター１０２は、ケース本体１１８を備えており、このケース本体１１８の内部に、図示しないが、巻線が巻かれたボビンを備えた電磁コイル、電磁コイルを封止する封止樹脂などが備えられている。
【００１０】
さらに、図１１、図１２に示したように、電磁アクチュエーター１０２のケース本体１１８の上部には、上方に突設するように形成した板形状のブラケット１２０が設けられている。そして、このブラケット１２０の基端部には、ケース本体１１８の内径側に突設する係合凸部１２２が形成されている。
【００１１】
このブラケット１２０の係合凸部１２２に係合するように、弁本体１０４の駆動部１１０の上部には、周方向に一定間隔離間して複数の係合凹部１２４が形成されている。
【００１２】
このように構成することによって、電磁アクチュエーター１０２の内周に形成された装着孔１０６に、弁本体１０４を下方から挿入することによって、電磁アクチュエーター１０２のブラケット１２０の係合凸部１２２と、弁本体１０４の係合凹部１２４が係合することによって、電磁アクチュエーター１０２の内周に形成された装着孔１０６に、弁本体１０４を脱着自在に装着するように構成されている。
【００１３】
これにより、弁本体１０４の係合凹部１２４と、電磁アクチュエーター１０２のブラケット１２０に設けられた係合凸部１２２とが、係合することによって、弁本体１０４に対して電磁アクチュエーター１０２の抜け止め、回転止めがなされるように構成されている。
【００１４】
また、図１１に示したように、電磁アクチュエーター１０２には、電磁アクチュエーター１０２の内部に備えられた電磁コイルに通電するためのリード線１２６が備えられている。
【００１５】
また、電磁アクチュエーターの内周に形成された装着孔に、弁本体を脱着自在に装着するように構成された従来の流体制御弁として、特許文献２（特許第３４６２６３６号公報）に開示されるような流体制御弁が提案されている。
【００１６】
図１３は、特許文献２に開示される流体制御弁２００の分解斜視図である。
【００１７】
図１３に示したように、特許文献１の流体制御弁２００は、略リング形状の電磁アクチュエーター２０２と、略円筒形状の弁本体２０４とを備えている。電磁アクチュエーター２０２の内周に形成された装着孔２０６に、弁本体２０４を脱着自在に装着するように構成されている。
【００１８】
そして、弁本体２０４は、弁体部２０８と、駆動部２１０とを備えている。この弁体部２０８には、図示しないが、その内部に、弁座に対して離接して弁ポートを開閉する弁体を備えており、この弁ポートの開閉動作により、第１の流体通路２１２と第２の流体通路２１４との間の開度を可変に制御するように構成されている。
【００１９】
また、駆動部２１０の駆動ケース本体２１６の内部には、図示しないが、例えば、電磁弁の場合には、弁体に連結されたプランジャー、吸引子などが備えられている。また、例えば、電動弁の場合には、弁体に連結された永久磁石からなるローターマグネットが備えられている。
【００２０】
一方、電磁アクチュエーター２０２は、ケース本体２１８を備えており、このケース本体２１８の内部に、図示しないが、巻線が巻かれたボビンを備えた電磁コイル、電磁コイルを封止する封止樹脂などが備えられている。
【００２１】
さらに、図１３に示したように、電磁アクチュエーター２０２のケース本体２１８の上部には、上方に突設するように形成した取付台２３０が立設されている。そして、この取付台２３０の上面には、溝部２３２が形成されている。また、押圧係止具２２６を備えており、断面略Ｕ字形状に屈曲することによって、先端部２２４が形成され、これにより、弾性を有するように構成されている。
【００２２】
そして、押圧係止具２２６を、その平行に延びた基端部２２８を、取付台２３０の上面に形成した溝部２３２に嵌合して、ネジ２３４によって、ワッシャー２３６を介して、取付台２３０のネジ穴２３８に締結している。これにより、押圧係止具２２６の基端部２２８が、取付台２３０の溝部２３２の側壁に支持され、横方向に動かないように構成されている。
【００２３】
また、押圧係止具２２６の先端部２２４には、内径側に突設する係合凸部２４０が形成されている。一方、この押圧係止具２２６の係合凸部２４０に係合するように、弁本体２０４の駆動部２１０の上部には、周方向に一定間隔離間して複数の係合凹部２４２が形成されている。
【００２４】
このように構成することによって、電磁アクチュエーター２０２の内周に形成された装着孔２０６に、弁本体２０４を下方から挿入することによって、弾性を有する押圧係止具２２６によって、電磁アクチュエーター２０２の押圧係止具２２６の係合凸部２４０と、弁本体２０４の係合凹部２４２が弾性的に係合することによって、電磁アクチュエーター２０２の内周に形成された装着孔２０６に、弁本体２０４を脱着自在に装着するように構成されている。
【先行技術文献】
【特許文献】
【００２５】
【特許文献１】特開２０１４−５２０３７号公報
【特許文献２】特許第３４６２６３６号公報
【発明の概要】
【発明が解決しようとする課題】
【００２６】
ところで、近年、例えば、エアコン、冷凍機などの空気調和機は、小型化する傾向であり、それに伴い、冷媒循環回路などに用いられる制御機器にも同様に、性能は維持しつつ、小型化や取回しの向上を望まれている。
【００２７】
特に、制御機器の一つである、電動弁、電磁弁などの流体制御弁は、例えば、図１１の特許文献１の流体制御弁１００に示したように、略リング形状の電磁アクチュエーター１０２と、略円筒形状の弁本体１０４とを備えている。電磁アクチュエーター１０２の内周に形成された装着孔１０６に、弁本体１０４を脱着自在に装着するように構成されている。
【００２８】
ところが、図１４に示したように、リード線１２６を取り回しする際に、電磁アクチュエーター１０２の上方に突設するように形成したブラケット１２０に、リード線１２６が、干渉したり、誤って接触することがある。このため、図１４のＢ部分に示したように、リード線１２６が、ブラケット１２０の隅角部１２０ａによって、傷つけられる可能性があるため、リード線１２６を取り回す際には細心の注意を払わなければならない。
【００２９】
また、図１５に示したように、電磁アクチュエーター１０２に、弁本体１０４を装着する際に、誤って電磁アクチュエーター１０２を落下させるなどしてしまうことがある。このため、図１５のＣ部分に示したように、電磁アクチュエーター１０２の上方に突設するので、ブラケット１２０が落下面１３０との間で、例えば、ブラケット１２０の隅角部１２０ａが、落下などの外力などよって変形し、弁本体１０４への取付性が損なわれるおそれがある。
【００３０】
さらに、図１１のＤ部分に示したように、電磁コイルの固定部、すなわち、電磁アクチュエーター１０２と、弁本体１０４との固定部が、電磁アクチュエーター１０２の上方に突設するように形成したブラケット１２０と、弁本体１０４の駆動部１１０の上部に形成した係合凹部１２４との係合である。このため、このように上方に突出した部分が必要で、流体制御弁１００自体のサイズが大きくなって、小型化の要求を満たさないことになる。
【００３１】
一方、特許文献２の流体制御弁２００においても、前述のような特許文献１の流体制御弁１００と同様な問題がある。
【００３２】
本発明は、このような現状に鑑み、従来の流体制御弁のように、電磁アクチュエーターの上方にブラケット、取付台、押圧係止具などが突設せず、リード線を取り回しする際に、リード線が、干渉したり、誤って接触することがない、流体制御弁を提供することを目的とする。
【００３３】
また、本発明は、電磁アクチュエーターに、弁本体を装着する際に、誤って電磁アクチュエーターを落下させるなどしても、ブラケットが、落下などの外力などよって変形することのない、流体制御弁を提供することを目的とする。
【００３４】
また、本発明は、流体制御弁自体のサイズが大きくならず、小型化の要求を満たしたコンパクトな流体制御弁を提供することを目的とする。
【課題を解決するための手段】
【００３５】
本発明は、前述したような従来技術における課題及び目的を達成するために発明されたものであって、本発明の流体制御弁は、
電磁アクチュエーターの内周に形成された装着孔に、弁本体を脱着自在に装着するように構成された流体制御弁であって、
前記電磁アクチュエーターの下方に突設するように形成されたブラケットと、
前記ブラケットを保護するように、電磁アクチュエーターの下方に突設するように形成されたブラケット保護部材と、
前記弁本体に形成され、ブラケットと係合する係合部とを備え、
前記ブラケットが、
前記電磁アクチュエーターに固定される固定部と、
前記固定部から延設された弾性を有する弾性係止部とを備え
前記弾性係止部には、弁本体に形成された係合部と係合するブラケット係止部が形成されていることを特徴とする。
【００３６】
また、本発明の流体制御弁は、
前記弾性係止部が、電磁アクチュエーターの下方に延設されたブラケット本体部と、
前記ブラケット本体部から、弁本体と面するように屈曲された弾性を有する屈曲係止部とを備え、
前記屈曲係止部に前記ブラケット係止部が形成されていることを特徴とする。
【００３７】
このように構成することによって、電磁アクチュエーターの下方に突設するように形成されたブラケットを備えているので、流体制御弁自体のサイズが大きくならず、小型化の要求を満たしたコンパクトな流体制御弁を提供することができる。
【００３８】
また、ブラケットを保護するように、電磁アクチュエーターの下方に突設するように形成されたブラケット保護部材を備えているので、このブラケット保護部材でブラケットが保護された状態となり、リード線を取り回しする際に、リード線が、ブラケットに干渉したり、誤って接触することがない。
【００３９】
さらに、電磁アクチュエーターに、弁本体を装着する際に、誤って電磁アクチュエーターを落下させるなどしても、ブラケットが、ブラケット保護部材で保護された状態であるので、落下などの外力などよって変形するおそれがない。
【００４０】
また、ブラケットが、電磁アクチュエーターに固定される固定部と、固定部から延設された弾性を有する弾性係止部とを備え、弾性係止部には、弁本体に形成された係合部と係合するブラケット係止部が形成されている。
従って、曲係止部の弾性によって、弁本体に形成された係合部と、弾性係止部の屈曲係止部に形成されたブラケット係止部との係合が確実に行われる。
【００４１】
また、ブラケットが、電磁アクチュエーターの下方に延設されたブラケット本体部と、ブラケット本体部から、弁本体と面するように屈曲された弾性を有する屈曲係止部とを備え、屈曲係止部にブラケット係止部が形成されている。
従って、屈曲係止部の弾性によって、弁本体に形成された係合部と、屈曲係止部に形成されたブラケット係止部との係合が確実に行われる流体制御弁を提供することができる。
【００４２】
また、本発明の流体制御弁は、前記ブラケット保護部材の下端が、ブラケットの下端より下方に突設するように形成されていることを特徴とする。
【００４３】
このように構成することによって、ブラケット保護部材の下端が、ブラケットの下端より下方に突設するように形成されているので、ブラケットの下端より下方に突設するブラケット保護部材の下端で、ブラケットが保護されている状態である。
【００４４】
従って、前述したように、リード線を取り回しする際に、リード線が、ブラケットに干渉したり、落下などの外力によってブラケットが、変形するおそれがない。
【００４５】
また、本発明の流体制御弁は、前記ブラケットが、ブラケット保護部材によってブラケットの軸方向、径方向、または、幅方向のうち少なくとも一つの方向が、支持されるように構成されていることを特徴とする。
【００４６】
このように構成することによって、ブラケットが、ブラケット保護部材で支持されるので、ブラケットの軸方向、径方向、または、幅方向のうち少なくとも一つの方向の変形が弾性変形に留まり、塑性変形が防止され、ブラケットが変形してしまうのを防止することができる。
【００４７】
また、本発明の流体制御弁は、前記ブラケットの屈曲係止部が、外径方向に移動する際に、ストッパーとして機能するブラケット保護部材で支持されるように構成されていることを特徴とする。
【００４８】
このように構成することによって、ブラケットの屈曲係止部が、外径方向に移動する際に、ストッパーとして機能するブラケット保護部材で支持されるので、ブラケットが塑性変形してしまうのを防止することができ、ブラケットの弾性が維持される（ブラケットの変形が弾性変形に留まり、塑性変形が防止される）。
【００４９】
これにより、弁本体に形成された係合部と、屈曲係止部に形成されたブラケット係止部との係合が確実に行われる。
【００５０】
また、本発明の流体制御弁は、前記ブラケット保護部材が、ブラケットの両側部を保護するように、ブラケットの両側部の外側にそれぞれ位置する２つのブラケット側部保護部を備えることを特徴とする。
【００５１】
このように構成することによって、ブラケット保護部材のブラケットの両側部の外側にそれぞれ位置する２つのブラケット側部保護部によって、ブラケットの両側部が保護されることになる。
【００５２】
この場合、２つのブラケット側部保護部によって、ブラケット本体部が幅方向に支持され、ブラケットの両側部を、ブラケットの幅方向に移動できないように支持される。
これによって、ブラケットが、幅方向に移動して、ブラケットのブラケット係止部と、弁本体の係合部との係合が確実に行われる流体制御弁を提供することができる。
【００５３】
これにより、ブラケットの両側部が、ブラケット保護部材で保護された状態であるので、リード線が、ブラケットの両側部に接触したり、ブラケットの両側部が、落下などの外力などよって変形するおそれがない。
【００５４】
また、本発明の流体制御弁は、前記２つのブラケット側部保護部が、ブラケットの軸方向、径方向、または、幅方向のうち少なくとも一つの方向に、ブラケットを支持する連結部で連結されていることを特徴とする。
【００５５】
このように構成することによって、２つのブラケット側部保護部が、ブラケットを支持する連結部で連結されているので、ブラケット支持部の機械的強度が強くなる。
また、ブラケットが軸方向、径方向、または、幅方向のうち少なくとも一つの方向に支持されるので、これらの方向の変形が弾性変形に留まり、塑性変形が防止され、連結部でより確実に保護されるとともに、ブラケットが変形してしまうのを防止することができる。
【００５６】
また、本発明の流体制御弁は、前記連結部の下端に形成された下端溝部によって、ブラケットが支持されるように構成されていることを特徴とする。
【００５７】
このように構成することによって、連結部の下端に形成された下端溝部に支持されるので、ブラケットの軸方向、または、幅方向のうち少なくとも一つの方向の変形が弾性変形に留まり、塑性変形が防止され、ブラケットが変形してしまうのを防止することができる。
【００５８】
また、本発明の流体制御弁は、前記連結部の軸方向に形成された軸方向溝部によって、ブラケットが支持されるように構成されていることを特徴とする。
【００５９】
このように構成することによって、連結部の軸方向に形成された軸方向溝部に支持されるので、ブラケットの径方向、または、幅方向のうち少なくとも一つの方向の変形が弾性変形に留まり、塑性変形が防止され、ブラケットが変形してしまうのを防止することができる。
【００６０】
また、本発明の流体制御弁は、前記２つのブラケット側部保護部の基端部にそれぞれ、ブラケットの軸方向、径方向、または、幅方向のうち少なくとも一つの方向にブラケットを支持するブラケット支持部が形成されていることを特徴とする。
【００６１】
このように構成することによって、２つのブラケット側部保護部の基端部にそれぞれ、ブラケットの軸方向、径方向、または、幅方向のうち少なくとも一つの方向にブラケットを支持するブラケット支持部が形成されているので、ブラケットのこれらの方向の変形が弾性変形に留まり、塑性変形が防止され、ブラケットが変形してしまうのを防止することができる。
【００６２】
また、本発明の流体制御弁は、前記基端部に形成されたブラケット支持部の下端に形成された下端溝部によって、ブラケットが支持されるように構成されていることを特徴とする。
【００６３】
このように構成することによって、基端部に形成されたブラケット支持部の下端に形成された下端溝部によって、ブラケットの軸方向、または、幅方向のうち少なくとも一つの方向の変形が弾性変形に留まり、塑性変形が防止され、ブラケットが変形してしまうのを防止することができる。
【００６４】
また、本発明の流体制御弁は、前記基端部に形成されたブラケット支持部の軸方向に形成された軸方向溝部によって、ブラケットが支持されるように構成されていることを特徴とする。
【００６５】
このように構成することによって、基端部に形成されたブラケット支持部の軸方向に形成された軸方向溝部によって、ブラケットの径方向、または、幅方向のうち少なくとも一つの方向の変形が弾性変形に留まり、塑性変形が防止され、ブラケットが変形してしまうのを防止することができる。
【００６６】
また、本発明の流体制御弁は、前記ブラケットが、電磁アクチュエーターのケース本体から下方に延設されていることを特徴とする。
【００６７】
このように構成することによって、ブラケットが、電磁アクチュエーターのケース本体から下方に延設されているので、ブラケットが機械的強度に優れることになる。
【００６８】
また、本発明の流体制御弁は、前記ブラケット保護部材が、電磁アクチュエーターのボビンから下方に延設されていることを特徴とする。
【００６９】
このように構成することによって、ブラケット保護部材が、電磁アクチュエーターのボビンから下方に延設されているので、ブラケット保護部材が機械的強度に優れ、その結果、ブラケットが変形してしまうのを防止する効果に優れる。
【発明の効果】
【００７０】
本発明によれば、電磁アクチュエーターの下方に突設するように形成されたブラケットを備えているので、流体制御弁自体のサイズが大きくならず、小型化の要求を満たしたコンパクトな流体制御弁を提供することができる。
【００７１】
また、電磁アクチュエーターの下方に突設するように形成された、ブラケットを保護するブラケット保護部材を備えているので、このブラケット保護部材でブラケットが保護された状態となり、リード線を取り回しする際に、リード線が、ブラケットに干渉したり、誤って接触することがない。
【００７２】
さらに、電磁アクチュエーターに、弁本体を装着する際に、誤って電磁アクチュエーターを落下させるなどしても、ブラケットが、ブラケット保護部材で保護された状態であるので、落下などの外力などよって変形するおそれがない。
【００７３】
また、ブラケットが、電磁アクチュエーターの下方に延設されたブラケット本体部と、ブラケット本体部から、弁本体と面するように屈曲された弾性を有する屈曲係止部と、弁本体に形成された係合部と係合する、屈曲係止部に形成されたブラケット係止部とを備えるので、屈曲係止部の弾性によって、弁本体に形成された係合部と、屈曲係止部に形成されたブラケット係止部との係合が確実に行われる流体制御弁を提供することができる。
【図面の簡単な説明】
【００７４】
【図１】図１は、本発明の流体制御弁の一部を切欠した状態の正面図である。
【図２】図２は、図１の流体制御弁のＦ方向の側面図である。
【図３】図３は、図１の流体制御弁の下面図である。
【図４】図４は、図１の流体制御弁の部分拡大図である。
【図５】図５は、本発明の流体制御弁のブラケット保護部材４４の実施例を示す図１の流体制御弁においてＦ方向の正面図である。
【図６】図６は、本発明の流体制御弁のブラケット保護部材４４の別の実施例を示す図１の流体制御弁においてＦ方向の正面図である。
【図７】図７は、本発明の流体制御弁のブラケット３４のブラケット係止部４２と弁本体１４の係合部４８の別の実施例を示す概略図である。
【図８】図８は、本発明の流体制御弁１０の別の実施例を示す図１と同様な本発明の流体制御弁の一部を切欠した状態の正面図である。
【図９】図９は、本発明の流体制御弁のブラケット保護部材４４の別の実施例を示す図８の流体制御弁においてＩ方向の正面図である。
【図１０】図１０は、図８の流体制御弁の部分拡大図である。
【図１１】図１１は、特許文献１に開示される流体制御弁１００の概略を模式的に示す正面図である。
【図１２】図１２は、図１１の流体制御弁１００のＡ方向の部分拡大矢視図である。
【図１３】図１３は、特許文献２に開示される流体制御弁２００の分解斜視図である。
【図１４】図１４は、特許文献１の流体制御弁１００のリード線１２６を取り回しする際の概略図である。
【図１５】図１５は、特許文献１の流体制御弁１００の取り扱い状態を説明する概略図である。
【発明を実施するための形態】
【００７５】
以下、本発明の実施の形態（実施例）を図面に基づいてより詳細に説明する。
（実施例１）
【００７６】
図１は、本発明の流体制御弁の一部を切欠した状態の正面図、図２は、図１の流体制御弁のＦ方向の側面図、図３は、図１の流体制御弁の下面図、図４は、図１の流体制御弁の部分拡大図、図５は、本発明の流体制御弁のブラケット保護部材４４の実施例を示す図１の流体制御弁においてＦ方向の正面図、図６は、本発明の流体制御弁のブラケット保護部材４４の別の実施例を示す図１の流体制御弁においてＦ方向の正面図、図７は、本発明の流体制御弁のブラケット３４のブラケット係止部４２と弁本体１４の係合部４８の別の実施例を示す概略図である。
【００７７】
図１〜図４において、符号１０は、全体で本発明の流体制御弁を示している。
【００７８】
図１〜図４に示したように、本発明の流体制御弁１０は、略リング形状の電磁アクチュエーター１２と、略円筒形状の弁本体１４とを備えている。電磁アクチュエーター１２の内周に形成された装着孔１６に、弁本体１４を脱着自在に装着するように構成されている。
【００７９】
そして、弁本体１４は、弁体部１８と、駆動部２０とを備えている。この弁体部１８の弁体ケース１１には、その内部に、弁室１３、図示しないが、弁座に対して離接して弁ポートを開閉する弁体を備えており、この弁ポートの開閉動作により、第１の流体通路２２と第２の流体通路２４との間の開度を可変に制御するように構成されている。
【００８０】
また、駆動部２０の駆動ケース本体２６の内部には、図示しないが、例えば、電磁弁の場合には、弁体に連結されたプランジャー、吸引子などが備えられている。また、例えば、電動弁の場合には、弁体に連結された永久磁石からなるローターマグネットが備えられている。
【００８１】
一方、電磁アクチュエーター１２は、ケース本体２８を備えており、このケース本体２８の内部に、図示しないが、巻線が巻かれたボビン３０を備えた電磁コイル、電磁コイルを封止する封止樹脂３２などが備えられている。
【００８２】
なお、この実施例の場合には、封止樹脂３２は、熱硬化性樹脂からなるポッティングであり、このポッティングによって、ケース本体２８の内部に、ボビン３０を備えた電磁コイルが封止されている。
【００８３】
また、電磁アクチュエーター１２には、電磁アクチュエーター１２の内部に備えられた電磁コイルに通電するためのリード線３６が備えられている。
【００８４】
また、電磁アクチュエーター１２の下方側には、ケース本体２８から下方に延設され、突設するように形成された、断面視で略Ｕ字形状のブラケット３４が設けられている。
【００８５】
このように構成することによって、ブラケット３４が、電磁アクチュエーター１２のケース本体２８から下方に延設されているので、ブラケット３４が機械的強度に優れることになる。
【００８６】
図１、図４に示したように、ブラケット３４は、電磁アクチュエーター１２に固定される固定部３１と、弾性を有する弾性係止部３３とを備えている。また、弾性係止部３３は、下方に延設されるとともに、内径側に延設されたブラケット本体部３８を備えている。
【００８７】
この実施例の流体制御弁１０では、図１に示したように、ブラケット３４の弾性係止部３３は、略板形状であって、電磁アクチュエーター１２のケース本体２８から下方に延設されたブラケット本体部３８を備えている。また、この実施例では、ブラケット本体部３８は、内径側に延設された延設部３５と、下方延設部３８ａを備えている。
【００８８】
そして、このブラケット本体部３８の下端３８ｂから、内径側に屈曲するとともに、上方に延設されることによって、弁本体１４と面するように屈曲された弾性を有する屈曲係止部４０を備えている。この屈曲係止部４０には、内径側に突設する略ドーム形状の凸形状のブラケット係止部４２を備えている。
【００８９】
このブラケット係止部４２は、後述するように、屈曲係止部４０の弾性力によって、弁本体１４の弁体部１８に形成された、略ドーム形状の凹み形状の係合部４８と係合するためのものである。
【００９０】
さらに、図１〜図４に示したように、流体制御弁１０は、ブラケット３４を保護するように、電磁アクチュエーター１２の下方に突設するように形成されたブラケット保護部材４４を備えている。
【００９１】
すなわち、図１〜図４に示したように、この実施例の流体制御弁１０では、略板形状のブラケット保護部材４４が、電磁アクチュエーター１２のボビン３０から下方に一体成形により延設されている。
【００９２】
このように構成することによって、ブラケット保護部材４４が、電磁アクチュエーター１２のボビン３０から下方に延設されているので、流体制御弁自体のサイズが大きくならず、小型化の要求を満たしたコンパクトな流体制御弁を提供することができる。
【００９３】
また、図２、図３、図５（Ａ）に示したように、ブラケット保護部材４４は、ブラケット３４の両側部３４ａ、３４ｂをそれぞれ保護するように、ブラケット３４の両側部３４ａ、３４ｂの外側にそれぞれ位置する２つのブラケット側部保護部、すなわち、第１のブラケット側部保護部４４ａと、第２のブラケット側部保護部４４ｂとを備えている。
【００９４】
なお、図１、図３に示したように、ブラケット３４の弾性を有する弾性係止部３３の幅方向の両側に、ブラケット保護部材４４の第１のブラケット側部保護部４４ａと、第２のブラケット側部保護部４４ｂが位置するように配置されている。この位置関係は、以下の実施例においても同様である。
【００９５】
この場合、図２、図４、図５（Ａ）に示したように、第１のブラケット側部保護部４４ａと、第２のブラケット側部保護部４４ｂによって、すなわち、ブラケット３４の下端３４ｃより下方に突設するブラケット保護部材４４の下端４４ｃで、ブラケット本体部３８の幅方向の端面が支持され、ブラケット３４の両側部３４ａ、３４ｂを、ブラケット３４の幅方向に移動できないように支持される。
これによって、ブラケット３４が、幅方向に移動して、ブラケット３４のブラケット係止部４２と、弁本体１４の係合部４８が不用意に解除されて脱落するのが防止される。
【００９６】
一方、図１、図３に示したように、弁本体１４の弁体部１８の側周部には、一定中心角度離間して、複数の（この実施例では、３個の）略ドーム形状の凹み形状の係合部４８を備えている。この弁本体１４に形成された係合部４８は、前述したブラケット３４のブラケット係止部４２と係合するためのものである。
【００９７】
なお、この弁本体１４の係合部４８の数、中心角度は、第１の流体通路２２と第２の流体通路２４の所望の配置位置などによって適宜変更でき、特に、限定されるものではない。
【００９８】
また、ブラケット３４のブラケット係止部４２と、弁本体１４の係合部４８の形状は、特に限定されるものではなく、図示しないが、例えば、四角柱状、三角柱形状とするなど適宜変更可能である。
【００９９】
また、この実施例では、ブラケット３４のブラケット係止部４２の形状を、凸形状とし、弁本体１４の係合部４８の形状を、凹み形状としたが、図７（Ａ）に示したように、ブラケット３４のブラケット係止部４２の形状を、凹み形状とし、弁本体１４の係合部４８の形状を、凸形状とすることも可能である。
【０１００】
さらに、図７（Ｂ）に示したように、ブラケット３４のブラケット係止部４２の形状を、二股係止部４２ａを有する形状として、弁本体１４の係合部４８の形状を、円柱形状として、二股係止部４２ａの幅を、弁本体１４の係合部４８の直径より小さく形成して、ブラケット３４の二股係止部４２ａによって、弁本体１４の円柱形状の係合部４８を挟持するように、係合するようにしても良い。
【０１０１】
このように構成される流体制御弁１０では、以下のように、電磁アクチュエーター１２の内周に形成された装着孔１６に、弁本体１４を脱着自在に装着するように構成されている。
【０１０２】
すなわち、電磁アクチュエーター１２の内周に形成された装着孔１６に、弁本体１４を装着して組み立てる際には、先ず、図１、図４の矢印Ｇに示したように、電磁アクチュエーター１２の内周に形成された装着孔１６に、電磁アクチュエーター１２の下方側から、弁本体１４を駆動部２０側から挿入する。
【０１０３】
これにより、図１、図４の矢印Ｈに示したように、弁本体１４によって、ブラケット３４の屈曲係止部４０が、その弾性によって撓んで外径側に移動する。
【０１０４】
そして、弁本体１４の弁体部１８の側周部の係合部４８の位置と、ブラケット３４のブラケット係止部４２の位置が合致した状態で、図１、図４の矢印Ｈと反対方向に、ブラケット３４の屈曲係止部４０が、その弾性によって内径側に移動して、ブラケット３４のブラケット係止部４２が、弁本体１４の係合部４８が係合する。
【０１０５】
これにより、電磁アクチュエーター１２の内周に形成された装着孔１６に、弁本体１４が装着されて、組み立てられる。
【０１０６】
一方、電磁アクチュエーター１２の内周に形成された装着孔１６から、弁本体１４を取り外す際には、図１、図４の矢印Ｇと反対方向に、電磁アクチュエーター１２の内周に形成された装着孔１６から、弁本体１４を引き抜く。
【０１０７】
これにより、図１、図４の矢印Ｈに示したように、弁本体１４によって、ブラケット３４の屈曲係止部４０が、その弾性によって撓んで外径側に移動する。
【０１０８】
すなわち、弁本体１４の弁体部１８の側周部の係合部４８の位置と、ブラケット３４のブラケット係止部４２の位置が合致した状態から、図１、図４の矢印Ｈの方向に、ブラケット３４の屈曲係止部４０が、その弾性によって外径側に移動して、ブラケット３４のブラケット係止部４２と、弁本体１４の係合部４８の係合が解除される。
【０１０９】
これにより、電磁アクチュエーター１２の内周に形成された装着孔１６から、弁本体１４を取り外すことができる。
【０１１０】
このように構成することによって、電磁アクチュエーター１２の下方に突設するように形成されたブラケット３４を備えているので、電磁アクチュエーター１２の上方に突設する部分（すなわち、電磁アクチュエーター１２の上方に突設するブラケットや、弁本体１４の駆動部２０の上方の係止部分）が不要となり、高さが小さくなる。
【０１１１】
その結果、流体制御弁１０自体のサイズが大きくならず、小型化の要求を満たしたコンパクトな流体制御弁１０を提供することができる。
【０１１２】
なお、図示しないが、電磁アクチュエーター１２の下方に突設するように形成されたブラケット３４とともに、例えば、別途図示しないシステムに、流体制御弁１０を固定するために、電磁アクチュエーター１２の上方に突設するように形成されたブラケットを設けるようにすることももちろん可能である。
【０１１３】
また、ブラケット３４を保護するように、電磁アクチュエーター１２の下方に突設するように形成されたブラケット保護部材４４を備えているので、このブラケット保護部材４４でブラケット３４が保護された状態となり、リード線３６を取り回しする際に、リード線３６が、ブラケット３４に干渉したり、誤って接触することがない。
【０１１４】
さらに、電磁アクチュエーター１２に、弁本体１４を装着する際に、誤って電磁アクチュエーター１２を落下させるなどしても、ブラケット３４が、ブラケット保護部材４４で保護された状態であるので、落下などの外力などよって変形するおそれがない。
【０１１５】
また、この実施例の流体制御弁１０では、ブラケット保護部材４４のブラケット３４の両側部３４ａ、３４ｂの外側にそれぞれ位置する、２つの第１のブラケット側部保護部４４ａと、第２のブラケット側部保護部４４ｂによって、ブラケット３４の両側部３４ａ、３４ｂが保護されることになる。
【０１１６】
これにより、ブラケット３４の両側部３４ａ、３４ｂが、ブラケット保護部材４４（第１のブラケット側部保護部４４ａと、第２のブラケット側部保護部４４ｂ）で保護された状態である。
【０１１７】
その結果、リード線３６が、ブラケット３４の両側部３４ａ、３４ｂに接触したり、ブラケット３４の両側部３４ａ、３４ｂが、落下などの外力などよって変形するおそれがない。
【０１１８】
また、ブラケット３４が、電磁アクチュエーター１２の下方に延設されたブラケット本体部３８と、ブラケット本体部３８から、弁本体１４と面するように屈曲された弾性を有する屈曲係止部４０と、弁本体１４に形成された係合部４８と係合する、屈曲係止部４０に形成されたブラケット係止部４２とを備えている。
【０１１９】
これにより、屈曲係止部４０の弾性によって、弁本体１４に形成された係合部４８と、屈曲係止部４０に形成されたブラケット係止部４２との係合が確実に行われる流体制御弁１０を提供することができる。
【０１２０】
この場合、図１、図２、図４に示したように、ブラケット保護部材４４の下端４４ｃが、ブラケット３４の下端３４ｃより下方に突設するように形成されているのが望ましい。
【０１２１】
このように構成することによって、ブラケット保護部材４４の下端４４ｃが、ブラケット３４の下端３４ｃより下方に突設するように形成されているので、ブラケット３４の下端３４ｃより下方に突設するブラケット保護部材４４の下端４４ｃで、ブラケット３４が保護されている状態である。
【０１２２】
従って、前述したように、リード線３６を取り回しする際に、リード線３６が、ブラケット３４に干渉したり、落下などの外力によってブラケット３４が、変形するおそれがない。
【０１２３】
なお、図示しないが、ブラケット保護部材４４の下端４４ｃが、ブラケット３４の下端３４ｃと面一か、ブラケット保護部材４４の下端４４ｃが、ブラケット３４の下端３４ｃより上方に突設するように形成されていても構わない。
【０１２４】
また、この実施例の流体制御弁１０では、ブラケット３４の下端３４ｃが、図１〜図４に示したように、ブラケット保護部材４４の第１のブラケット側部保護部４４ａと、第２のブラケット側部保護部４４ｂとの間の隙間Ｓに位置するように構成されている。
【０１２５】
また、ブラケット３４が、ブラケット保護部材４４で、ブラケット３４の軸方向、径方向、または、幅方向のうち少なくとも一つの方向が、支持されるように構成されているのが望ましい。
【０１２６】
このように構成することによって、ブラケット３４が、ブラケット保護部材４４で支持されるので、ブラケット３４の軸方向、径方向、または、幅方向のうち少なくとも一つの方向の変形が弾性変形に留まり、塑性変形が防止され、ブラケット３４が変形してしまうのを防止することができる。
【０１２７】
例えば、ブラケット３４の屈曲係止部４０が、外径方向に移動する際に、ストッパーとして機能するブラケット保護部材４４で支持されるように構成するのが望ましい。
【０１２８】
このように構成することによって、ブラケット３４の屈曲係止部４０が、外径方向に移動する際に、ストッパーとして機能するブラケット保護部材４４で支持されるので、ブラケット３４が塑性変形してしまうのを防止することができ、ブラケット３４の弾性が維持される（ブラケット３４の変形が弾性変形に留まり、塑性変形が防止される）。
【０１２９】
これにより、弁本体に形成された係合部と、屈曲係止部に形成されたブラケット係止部との係合が確実に行われる。
【０１３０】
具体的には、例えば、図１、図５（Ａ）に示したように、２つのブラケット支持部４６、すなわち、第１のブラケット支持部４６ａと、第２の第１のブラケット支持部４６ｂが、ブラケット３４の軸方向、径方向、または、幅方向のうち少なくとも一つの方向に、ブラケット３４を支持する連結部４６ｃで連結されているようにしても良い。
【０１３１】
これにより、図１、図４の矢印Ｈに示したように、ブラケット３４の屈曲係止部４０が、外径方向に移動する際に、ストッパーとして機能するブラケット保護部材４４の連結部４６ｃで支持されるので、ブラケット３４が塑性変形してしまうのを防止することができ、ブラケット３４の弾性が維持される（ブラケット３４の径方向の変形が弾性変形に留まり、塑性変形が防止される）。
【０１３２】
また、図５（Ａ）に示したように、連結部４６ｃの下端に下端溝部４６ｄを形成し、この下端溝部４６ｄによって、ブラケット３４（ブラケット３４の下端３４ｃ）が支持されるように構成しても良い。
【０１３３】
このように構成することによって、連結部４６ｃの下端に形成された下端溝部４６ｄによって、ブラケット３４の軸方向、または、幅方向のうち少なくとも一つの方向の変形が弾性変形に留まり、塑性変形が防止され、ブラケット３４が変形してしまうのを防止することができる。
【０１３４】
この場合、図５（Ｂ）に示したように、連結部４６ｃに、軸方向溝部４６ｅを形成して、軸方向溝部４６ｅ内に、ブラケット本体部３８を嵌合して、ブラケット本体部３８の幅方向に支持して、ブラケット３４の両側部３４ａ、３４ｂを、ブラケット３４の幅方向に移動できないように支持するようにしても良い。
これによって、ブラケット３４が少なくとも幅方向に移動しないので、ブラケット係止部４２と、弁本体１４の係合部４８との係合が確実に行われる。
【０１３５】
このように構成することによって、連結部４６ｃの軸方向に形成された軸方向溝部４６ｅによって、ブラケット３４の径方向、または、幅方向のうち少なくとも一つの方向の変形が弾性変形に留まり、塑性変形が防止され、ブラケット３４が変形してしまうのを防止することができる。
【０１３６】
このように構成することによって、ブラケット支持部４６が、連結部４６ｃで連結されているので、ブラケット支持部４６の機械的強度が強く、ブラケット３４の軸方向、径方向、または、幅方向のうち少なくとも一つの方向の変形が弾性変形に留まり、塑性変形が防止され、がブラケット支持部４６の連結部４６ｃでより確実に保護されるとともに、ブラケット３４が変形してしまうのを防止することができる。
【０１３７】
なお、図６（Ａ）に示したように、２つのブラケット側部保護部（第１のブラケット側部保護部４４ａと、第２のブラケット側部保護部４４ｂ）を分離したものとするとともに、後述する図６（Ｂ）に示したような、第１のブラケット支持部４６ａと、第２の第１のブラケット支持部４６ｂ、連結部４６ｃを形成しなくても良い。
【０１３８】
また、例えば、図６（Ｂ）に示したように、２つのブラケット側部保護部（第１のブラケット側部保護部４４ａと、第２のブラケット側部保護部４４ｂ）の基端部に（第１のブラケット側部保護部４４ａと、第２のブラケット側部保護部４４ｂの幅方向内側で、軸方向の基端部に）それぞれ、ブラケット３４の軸方向、径方向、または、幅方向のうち少なくとも一つの方向にブラケット３４を支持するブラケット支持部４６、すなわち、第１のブラケット支持部４６ａと、第２の第１のブラケット支持部４６ｂとが形成されていても良い。
【０１３９】
これにより、ブラケット３４の軸方向、径方向、または、幅方向のうち少なくとも一つの方向の変形が弾性変形に留まり、塑性変形が防止され、ブラケット支持部４６（第１のブラケット支持部４６ａと、第２の第１のブラケット支持部４６ｂ）で保護されるとともに、ブラケット３４が変形してしまうのを防止することができる。
【０１４０】
また、図６（Ｂ）に示したように、第１のブラケット支持部４６ａと、第２の第１のブラケット支持部４６ｂの下端に、下端溝部４６ｆを形成し、この下端溝部４６ｆによって、ブラケット３４（ブラケット３４の下端３４ｃ）が支持されるように構成しても良い。
【０１４１】
このように構成することによって、第１のブラケット支持部４６ａと、第２の第１のブラケット支持部４６ｂの下端に形成された下端溝部４６ｆによって、ブラケット３４の軸方向、または、幅方向のうち少なくとも一つの方向の変形が弾性変形に留まり、塑性変形が防止され、ブラケットが変形してしまうのを防止することができる。
【０１４２】
また、図６（Ｂ）に示したように、第１のブラケット支持部４６ａと、第２の第１のブラケット支持部４６ｂの下端に、下端溝部４６ｆを形成し、この下端溝部４６ｆによって、ブラケット３４（ブラケット３４の下端３４ｃ）が支持されるように構成しても良い。
【０１４３】
このように構成することによって、第１のブラケット支持部４６ａと、第２の第１のブラケット支持部４６ｂの下端に形成された下端溝部４６ｆによって、ブラケット３４の軸方向、または、幅方向のうち少なくとも一つの方向の変形が弾性変形に留まり、塑性変形が防止され、ブラケットが変形してしまうのを防止することができる。
【０１４４】
また、図６（Ｂ）に示したように、第１のブラケット支持部４６ａと、第２の第１のブラケット支持部４６ｂの軸方向に、軸方向溝部４６ｇを形成し、ブラケット本体部３８を嵌合して、この軸方向溝部４６ｇによって、ブラケット３４が支持されるように構成しても良い。
【０１４５】
このように構成することによって、第１のブラケット支持部４６ａと、第２の第１のブラケット支持部４６ｂの軸方向に形成された軸方向溝部４６ｇによって、ブラケットの径方向、または、幅方向、または、幅方向のうち少なくとも一つの方向の変形が弾性変形に留まり、塑性変形が防止され、ブラケットが変形してしまうのを防止することができる。
（実施例２）
【０１４６】
図８は、本発明の流体制御弁１０の別の実施例を示す図１と同様な本発明の流体制御弁の一部を切欠した状態の正面図、図９は、本発明の流体制御弁のブラケット保護部材４４の別の実施例を示す図８の流体制御弁においてＩ方向の正面図、図１０は、図８の流体制御弁の部分拡大図である。
【０１４７】
この実施例の流体制御弁１０は、図１〜図７に示した流体制御弁１０と基本的には同様な構成であり、同一の構成部材には、同一の参照番号を付して、その詳細な説明を省略する。
【０１４８】
この実施例の流体制御弁１０では、図８、図１０に示したように、電磁アクチュエーター１２の下方側には、ケース本体２８から下方に延設され、突設するように形成された、断面視で略Ｌ字形状のブラケット３４が設けられている。
【０１４９】
図８、図１０に示したように、ブラケット３４は、電磁アクチュエーター１２に固定される固定部３１と、弾性を有する弾性係止部３３とを備えている。また、弾性係止部３３は、下方に延設されるとともに、内径側に延設されたブラケット本体部３８を備えている。
【０１５０】
すなわち、図８、図１０に示したように、この実施例の流体制御弁１０では、ブラケット３４は、略板形状であって、電磁アクチュエーター１２のケース本体２８から下方に延設されるとともに、内径側に延設されたブラケット本体部３８を備えている。
【０１５１】
また、ブラケット３４は、このブラケット本体部３８の内径側端部から、下方に屈曲するように延設され、弁本体１４と面するように屈曲された弾性を有する屈曲係止部４０を備えている。この屈曲係止部４０には、内径側に突設する略ドーム形状の凸形状のブラケット係止部４２を備えている。
【０１５２】
さらに、屈曲係止部４０の下端が内径側に屈曲されて、操作部５０が形成されており、この操作部５０が、図８、図９、図１０に示したように、ブラケット保護部材４４の第１のブラケット側部保護部４４ａと、第２のブラケット側部保護部４４ｂとの間の隙間Ｓに位置するように構成されている。
【０１５３】
このように構成することによって、電磁アクチュエーター１２の内周に形成された装着孔１６から、弁本体１４を取り外す際に、図８、図１０の矢印Ｊに示したように、第１のブラケット側部保護部４４ａと、第２のブラケット側部保護部４４ｂとの間の隙間Ｓに位置する操作部５０を指などで操作することによって、ブラケット３４の屈曲係止部４０を、その弾性力とともに、指による操作によって撓んで外径側に移動するのが容易になる。
【０１５４】
その結果、ブラケット３４のブラケット係止部４２と、弁本体１４の係合部４８の係合が解除され、これにより、電磁アクチュエーター１２の内周に形成された装着孔１６から、弁本体１４を容易に取り外すことができる。
【０１５５】
以上、本発明の好ましい実施の態様を説明してきたが、本発明はこれに限定されることはなく、例えば、上記実施例では、封止樹脂３２は、熱硬化性樹脂からなるポッティングで、このケース本体２８の内部に、ボビン３０を備えた電磁コイルを封止する電磁アクチュエーター１２を備えた流体制御弁１０を示している。
【０１５６】
しかしながら、ケース本体２８を備えず、インジェクションによって、熱可塑性樹脂からなる封止樹脂によって、一体成形により、ボビン３０を備えた電磁コイルを封止する電磁アクチュエーター１２を備えた流体制御弁１０についても適用することができる。
【０１５７】
この場合、例えば、インサート成形による一体成形により、電磁アクチュエーター１２の下方に、ブラケット３４、ブラケット保護部材４４を形成することができる。
また、インジェクションによって、熱可塑性樹脂からなる封止樹脂によって、ブラケット３４、ブラケット保護部材４４のうち少なくとも一方を一体成形することも可能である。
【０１５８】
また、電磁アクチュエーター１２を作製した後に、いわゆる後付けで、図示しないが、例えば、ネジ、リベット止め、溶着などによって、電磁アクチュエーター１２の下方に、ブラケット３４、ブラケット保護部材４４を形成することができる。
【０１５９】
さらに、ブラケット３４、ブラケット保護部材４４の材質は、特に限定されるものではなく、流体制御弁１０の用途に応じて、例えば、金属、合成樹脂などから構成することができる。
【０１６０】
また、例えば、上記実施例では、図１に示した形状の流体制御弁に用いたが、流体制御弁の形状は特に限定されるものではなく、あらゆるタイプの永久磁石からなるローターマグネットを備えた電動弁、電磁弁などの流体制御弁に用いることも可能であるなど本発明の目的を逸脱しない範囲で種々の変更が可能である。
【産業上の利用可能性】
【０１６１】
本発明は、例えば、電動弁、電磁弁などの流体制御弁に適用することができる。
【０１６２】
より詳細には、通電により弁体を弁座に対して離接させる電磁コイルを備えた電磁アクチュエーターの内周に形成された装着孔に、弁本体を脱着自在に装着するように構成された流体制御弁に適用することができる。
【符号の説明】
【０１６３】
１０    流体制御弁
１１    弁体ケース
１２    電磁アクチュエーター
１３    弁室
１４    弁本体
１６    装着孔
１８    弁体部
２０    駆動部
２２    第１の流体通路
２４    第２の流体通路
２６    駆動ケース本体
２８    ケース本体
３０    ボビン
３１    固定部
３２    封止樹脂
３３    弾性係止部
３４    ブラケット
３４ａ、３４ｂ    両側部
３４ｃ    下端
３５    延設部
３６    リード線
３８    ブラケット本体部
３８ａ    下方延設部
３８ｂ    下端
４０    屈曲係止部
４２    ブラケット係止部
４２ａ    二股係止部
４４    ブラケット保護部材
４４ａ    第１のブラケット側部保護部
４４ｂ    第２のブラケット側部保護部
４４ｃ    下端
４６    ブラケット支持部
４６ａ    第１のブラケット支持部
４６ｂ    第２のブラケット支持部
４６ｃ    連結部
４６ｄ、４６ｆ    下方端部
４６ｅ、４６ｇ    軸方向溝部
４８    係合部
５０    操作部
１００    流体制御弁
１０２    電磁アクチュエーター
１０４    弁本体
１０６    装着孔
１０８    弁体部
１１０    駆動部
１１２    第１の流体通路
１１４    第２の流体通路
１１６    駆動ケース本体
１１８    ケース本体
１２０    ブラケット
１２０ａ    隅角部
１２２    係合凸部
１２４    係合凹部
１２６    リード線
１３０    落下面
２００    流体制御弁
２０２    電磁アクチュエーター
２０４    弁本体
２０６    装着孔
２０８    弁体部
２１０    駆動部
２１２    第１の流体通路
２１４    第２の流体通路
２１６    駆動ケース本体
２１８    ケース本体
２２４    先端部
２２６    押圧係止具
２２８    基端部
２３０    取付台
２３２    溝部
２３４    ネジ
２３６    ワッシャー
２３８    ネジ穴
２４０    係合凸部
２４２    係合凹部
Ｓ    隙間
【図１】
0006265943.tif 000002
【図２】
0006265943.tif 000003
【図３】
0006265943.tif 000004
【図４】
0006265943.tif 000005
【図５】
0006265943.tif 000006
【図６】
0006265943.tif 000007
【図７】
0006265943.tif 000008
【図８】
0006265943.tif 000009
【図９】
0006265943.tif 000010
【図１０】
0006265943.tif 000011
【図１１】
0006265943.tif 000012
【図１２】
0006265943.tif 000013
【図１３】
0006265943.tif 000014
【図１４】
0006265943.tif 000015
【図１５】
0006265943.tif 000016